(57)【要約】【課題】ＷＥＢページ内に横方向で複数の要素をより適切に配置できるようにする。【解決手段】処理装置１は、使用者への表示画面にＷＥＢページ作成用ページを表示する第１表示処理部１１と、ＷＥＢページ作成用ページ内にＷＥＢページ内に表示される要素の領域の幅を使用者に操作されて調整可能にして表示する第２表示処理部１２と、第１及び第２表示処理部１１，１２により表示されたＷＥＢページ作成用ページ及び要素を基に横幅が１１８０ピクセルで表示されるＷＥＢページ用のデータを生成するデータ生成部１３とを有し、第２表示処理部１２は、ＷＥＢページ作成用サイト内に設定された調整可能な単位を基に要素の領域の横幅を調整可能にし、第１表示処理部１１は、調整可能な単位の１１８倍でＷＥＢページ作成用ページの横幅を表示し、ＷＥＢページは、データ生成部１３が生成したデータを基に１１８０ピクセルの横幅で画面に表示される。【選択図】図２
2020135539.tif 000002
【特許請求の範囲】
【請求項１】
各種の要素が含まれるＷＥＢページを画面に表示するためのデータを作成するＷＥＢページ作成装置であって、
使用者への表示画面に前記ＷＥＢページ作成用ページを表示する第１表示処理手段と、
前記ＷＥＢページ作成用ページ内に前記ＷＥＢページ内に表示される要素の領域の幅を使用者に操作されて調整可能にして表示する第２表示処理手段と、
前記第１表示処理手段及び第２表示処理手段により表示されたＷＥＢページ作成用ページ及び要素を基に、横幅が１１８０ピクセル又はその倍数で表示される前記ＷＥＢページ用のデータを生成する生成手段と、を有し、
前記第２表示処理手段は、前記ＷＥＢページ作成用サイト内に設定された調整可能な単位を基に前記要素の領域の横幅を調整可能にし、
前記第１表示処理手段は、前記調整可能な単位の１１８倍又は１１８倍の倍数で前記ＷＥＢページ作成用ページの横幅を表示し、
前記ＷＥＢページは、前記生成手段が生成したデータを基に、１１８０ピクセル又はその倍数の横幅で画面に表示されるＷＥＢページ作成装置。
【請求項２】
前記ＷＥＢページ作成用サイト内にグリッドが設定され、前記グリッドを構成するセルが前記調整可能な単位になる請求項１に記載のＷＥＢページ作成装置。
【請求項３】
前記第２表示処理手段は、前記ＷＥＢページ作成用ページ内に前記要素の領域を横方向に複数表示する場合、前記要素の領域が２個のときには、前記調整可能な単位を５８個ひとかたまりとして前記要素の領域の横幅を調整可能にし、前記要素の領域が３個のときには、前記調整可能な単位を３８個ひとかたまりとして前記要素の領域の横幅を調整可能にし、前記要素の領域が４個のときには、前記調整可能な単位を２８個ひとかたまりとして前記要素の領域の横幅を調整可能にし、前記要素の領域が５個のときには、前記調整可能な単位を２２個ひとかたまりとして前記要素の領域の横幅を調整可能にし、前記要素の領域が６個のときには、前記調整可能な単位を１８個ひとかたまりとして前記要素の領域の横幅を調整可能にし、前記要素の領域が７個のときには、前記調整可能な単位を１６個ひとかたまりとして前記要素の領域の横幅を調整可能にし、前記要素の領域が８個のときには、前記調整可能な単位を１３個ひとかたまりとして前記要素の領域の横幅を調整可能にし、前記要素の領域が９個のときには、前記調整可能な単位を１２個ひとかたまりとして前記要素の領域の横幅を調整可能にし、前記要素の領域が１０個のときには、前記調整可能な単位を１０個ひとかたまりとして前記要素の領域の横幅を調整可能にし、前記要素の領域が１１個のときには、前記調整可能な単位を８個ひとかたまりとして前記要素の領域の横幅を調整可能にし、前記要素の領域が１２個のときには、前記調整可能な単位を８個ひとかたまりとして前記要素の領域の横幅を調整可能にし、前記要素の領域が１３個のときには、前記調整可能な単位を８個ひとかたまりとして前記要素の領域の横幅を調整可能にし、前記要素の領域が１５個のときには、前記調整可能な単位を６個ひとかたまりとして前記要素の領域の横幅を調整可能にし、前記要素の領域が１７個のときには、前記調整可能な単位を６個ひとかたまりとして前記要素の領域の横幅を調整可能にし、前記要素の領域が２０個のときには、前記調整可能な単位を４個ひとかたまりとして前記要素の領域の横幅を調整可能にする請求項１又は２に記載のＷＥＢページ作成装置。
【請求項４】
各種の要素が含まれるＷＥＢページを画面に表示するためのデータを作成するＷＥＢページ作成方法であって、
使用者への表示画面に前記ＷＥＢページ作成用ページを表示する第１表示処理工程と、
前記ＷＥＢページ作成用ページ内に前記ＷＥＢページ内に表示される要素の領域の幅を使用者に操作されて調整可能にして表示する第２表示処理工程と、
前記第１表示処理工程及び第２表示処理工程で表示されたＷＥＢページ作成用ページ及び要素を基に、横幅が１１８０ピクセル又はその倍数で表示される前記ＷＥＢページ用のデータを生成する生成工程と、を有し、
前記第２表示処理工程では、前記ＷＥＢページ作成用サイト内に設定された調整可能な単位を基に前記要素の領域の横幅を調整可能にし、
前記第１表示処理工程では、前記調整可能な単位の１１８倍又は１１８の倍数倍で前記ＷＥＢページ作成用ページの横幅を表示し、
前記ＷＥＢページは、前記生成工程で生成したデータを基に、１１８０ピクセル又はその倍数の横幅で画面に表示されるＷＥＢページ作成方法。
【請求項５】
各種の要素が含まれるＷＥＢページを画面に表示するためのデータを作成するためのコンピュータ用のコンピュータプログラムであって、
使用者への表示画面に前記ＷＥＢページ作成用ページを表示する第１表示処理手段と、
前記ＷＥＢページ作成用ページ内に前記ＷＥＢページ内に表示される要素の領域の幅を使用者に操作されて調整可能にして表示する第２表示処理手段と、
前記第１表示処理手段及び第２表示処理手段により表示されたＷＥＢページ作成用ページ及び要素を基に、横幅が１１８０ピクセル又はその倍数で表示される前記ＷＥＢページ用のデータを生成する生成手段と、を有し、
前記第２表示処理手段は、前記ＷＥＢページ作成用サイト内に設定された調整可能な単位を基に前記要素の領域の横幅を調整可能にし、
前記第１表示処理手段は、前記調整可能な単位の１１８倍又は１１８の倍数倍で前記ＷＥＢページ作成用ページの横幅を表示し、
前記ＷＥＢページは、前記生成手段が生成したデータを基に、１１８０ピクセル又はその倍数の横幅で画面に表示されることをコンピュータに実行させるコンピュータプログラム。
【請求項６】
各種の要素が含まれるＷＥＢページを画面に表示するためのデータを作成するＷＥＢページ作成装置であって、
使用者への表示画面に前記ＷＥＢページ作成用ページを表示する第１表示処理手段と、
前記ＷＥＢページ作成用ページ内に前記ＷＥＢページ内に表示される要素の領域の幅を使用者に操作されて調整可能にして表示する第２表示処理手段と、
前記第１表示処理手段及び第２表示処理手段により表示されたＷＥＢページ作成用ページ及び要素を基に、横幅が３００ピクセル又はその倍数で表示される前記ＷＥＢページ用のデータを生成する生成手段と、を有し、
前記第２表示処理手段は、前記ＷＥＢページ作成用サイト内に設定された調整可能な単位を基に前記要素の領域の横幅を調整可能にし、
前記第１表示処理手段は、前記調整可能な単位の３０倍又は３０倍の倍数で前記ＷＥＢページ作成用ページの横幅を表示し、
前記ＷＥＢページは、前記生成手段が生成したデータを基に、３００ピクセル又はその倍数の横幅で画面に表示されるＷＥＢページ作成装置。
【請求項７】
前記ＷＥＢページ作成用サイト内にグリッドが設定され、前記グリッドを構成するセルが前記調整可能な単位になる請求項６に記載のＷＥＢページ作成装置。
【請求項８】
前記第２表示処理手段は、前記ＷＥＢページ作成用ページ内に前記要素の領域を横方向に複数表示する場合、前記要素の領域が２個のときには、前記調整可能な単位を１３個ひとかたまりとして前記要素の領域の横幅を調整可能にし、前記要素の領域が３個のときには、前記調整可能な単位を８個ひとかたまりとして前記要素の領域の横幅を調整可能にし、前記要素の領域が４個のときには、前記調整可能な単位を７個ひとかたまりとして前記要素の領域の横幅を調整可能にし、前記要素の領域が５個のときには、前記調整可能な単位を６個ひとかたまりとして前記要素の領域の横幅を調整可能にし、前記要素の領域が６個のときには、前記調整可能な単位を５個ひとかたまりとして前記要素の領域の横幅を調整可能にし、前記要素の領域が７個のときには、前記調整可能な単位を４個ひとかたまりとして前記要素の領域の横幅を調整可能にし、前記要素の領域が８個のときには、前記調整可能な単位を３個ひとかたまりとして前記要素の領域の横幅を調整可能にし、前記要素の領域が９個のときには、前記調整可能な単位を２個ひとかたまりとして前記要素の領域の横幅を調整可能にし、前記要素の領域が１０個のときには、前記調整可能な単位を３個ひとかたまりとして前記要素の領域の横幅を調整可能にし、前記要素の領域が１４個のときには、前記調整可能な単位を２個ひとかたまりとして前記要素の領域の横幅を調整可能にし、前記要素の領域が１５個のときには、前記調整可能な単位を２個ひとかたまりとして前記要素の領域の横幅を調整可能にする請求項６又は７に記載のＷＥＢページ作成装置。
【請求項９】
各種の要素が含まれるＷＥＢページを画面に表示するためのデータを作成するＷＥＢページ作成方法であって、
使用者への表示画面に前記ＷＥＢページ作成用ページを表示する第１表示処理工程と、
前記ＷＥＢページ作成用ページ内に前記ＷＥＢページ内に表示される要素の領域の幅を使用者に操作されて調整可能にして表示する第２表示処理工程と、
前記第１表示処理工程及び第２表示処理工程で表示されたＷＥＢページ作成用ページ及び要素を基に、横幅が３００ピクセル又はその倍数で表示される前記ＷＥＢページ用のデータを生成する生成工程と、を有し、
前記第２表示処理工程では、前記ＷＥＢページ作成用サイト内に設定された調整可能な単位を基に前記要素の領域の横幅を調整可能にし、
前記第１表示処理工程では、前記調整可能な単位の３０倍又は３０の倍数倍で前記ＷＥＢページ作成用ページの横幅を表示し、
前記ＷＥＢページは、前記生成工程で生成したデータを基に、３００ピクセル又はその倍数の横幅で画面に表示されるＷＥＢページ作成方法。
【請求項１０】
各種の要素が含まれるＷＥＢページを画面に表示するためのデータを作成するためのコンピュータ用のコンピュータプログラムであって、
使用者への表示画面に前記ＷＥＢページ作成用ページを表示する第１表示処理手段と、
前記ＷＥＢページ作成用ページ内に前記ＷＥＢページ内に表示される要素の領域の幅を使用者に操作されて調整可能にして表示する第２表示処理手段と、
前記第１表示処理手段及び第２表示処理手段により表示されたＷＥＢページ作成用ページ及び要素を基に、横幅が３００ピクセル又はその倍数で表示される前記ＷＥＢページ用のデータを生成する生成手段と、を有し、
前記第２表示処理手段は、前記ＷＥＢページ作成用サイト内に設定された調整可能な単位を基に前記要素の領域の横幅を調整可能にし、
前記第１表示処理手段は、前記調整可能な単位の３０倍又は３０の倍数倍で前記ＷＥＢページ作成用ページの横幅を表示し、
前記ＷＥＢページは、前記生成手段が生成したデータを基に、３００ピクセル又はその倍数の横幅で画面に表示されることをコンピュータに実行させるコンピュータプログラム。
【発明の詳細な説明】
【技術分野】
【０００１】
本発明は、ＷＥＢページの作成を支援する技術に関する。
【背景技術】
【０００２】
ＷＥＢページの作成を支援する技術として、ＷＥＢページを構成するブロック単位で操作可能にしている技術がある（例えば、特許文献１）。
【先行技術文献】
【特許文献】
【０００３】
【特許文献１】特許第５３２２４０３号
【発明の概要】
【発明が解決しようとする課題】
【０００４】
本発明の目的は、ＷＥＢページ内に横方向で複数の要素をより適切に配置できるようにすることである。
【課題を解決するための手段】
【０００５】
前記課題を解決するために、本発明の第１の態様は、各種の要素が含まれるＷＥＢページを画面に表示するためのデータを作成するＷＥＢページ作成装置であって、使用者への表示画面に前記ＷＥＢページ作成用ページを表示する第１表示処理手段と、前記ＷＥＢページ作成用ページ内に前記ＷＥＢページ内に表示される要素の領域の幅を使用者に操作されて調整可能にして表示する第２表示処理手段と、前記第１表示処理手段及び第２表示処理手段により表示されたＷＥＢページ作成用ページ及び要素を基に、横幅が１１８０ピクセル又はその倍数で表示される前記ＷＥＢページ用のデータを生成する生成手段と、を有し、前記第２表示処理手段は、前記ＷＥＢページ作成用サイト内に設定された調整可能な単位を基に前記要素の領域の横幅を調整可能にし、前記第１表示処理手段は、前記調整可能な単位の１１８倍又は１１８倍の倍数で前記ＷＥＢページ作成用ページの横幅を表示し、前記ＷＥＢページは、前記生成手段が生成したデータを基に、１１８０ピクセル又はその倍数の横幅で画面に表示されるＷＥＢページ作成装置である。
【０００６】
本発明の第２の態様では、前記ＷＥＢページ作成用サイト内にグリッドが設定され、前記グリッドを構成するセルが前記調整可能な単位になることが好ましい。
【０００７】
本発明の第３の態様では、前記第２表示処理手段は、前記ＷＥＢページ作成用ページ内に前記要素の領域を横方向に複数表示する場合、前記要素の領域が２個のときには、前記調整可能な単位を５８個ひとかたまりとして前記要素の領域の横幅を調整可能にし、前記要素の領域が３個のときには、前記調整可能な単位を３８個ひとかたまりとして前記要素の領域の横幅を調整可能にし、前記要素の領域が４個のときには、前記調整可能な単位を２８個ひとかたまりとして前記要素の領域の横幅を調整可能にし、前記要素の領域が５個のときには、前記調整可能な単位を２２個ひとかたまりとして前記要素の領域の横幅を調整可能にし、前記要素の領域が６個のときには、前記調整可能な単位を１８個ひとかたまりとして前記要素の領域の横幅を調整可能にし、前記要素の領域が７個のときには、前記調整可能な単位を１６個ひとかたまりとして前記要素の領域の横幅を調整可能にし、前記要素の領域が８個のときには、前記調整可能な単位を１３個ひとかたまりとして前記要素の領域の横幅を調整可能にし、前記要素の領域が９個のときには、前記調整可能な単位を１２個ひとかたまりとして前記要素の領域の横幅を調整可能にし、前記要素の領域が１０個のときには、前記調整可能な単位を１０個ひとかたまりとして前記要素の領域の横幅を調整可能にし、前記要素の領域が１１個のときには、前記調整可能な単位を８個ひとかたまりとして前記要素の領域の横幅を調整可能にし、前記要素の領域が１２個のときには、前記調整可能な単位を８個ひとかたまりとして前記要素の領域の横幅を調整可能にし、前記要素の領域が１３個のときには、前記調整可能な単位を８個ひとかたまりとして前記要素の領域の横幅を調整可能にし、前記要素の領域が１５個のときには、前記調整可能な単位を６個ひとかたまりとして前記要素の領域の横幅を調整可能にし、前記要素の領域が１７個のときには、前記調整可能な単位を６個ひとかたまりとして前記要素の領域の横幅を調整可能にし、前記要素の領域が２０個のときには、前記調整可能な単位を４個ひとかたまりとして前記要素の領域の横幅を調整可能にすることが好ましい。
【０００８】
前記課題を解決するために、本発明の第４の態様は、各種の要素が含まれるＷＥＢページを画面に表示するためのデータを作成するＷＥＢページ作成方法であって、使用者への表示画面に前記ＷＥＢページ作成用ページを表示する第１表示処理工程と、前記ＷＥＢページ作成用ページ内に前記ＷＥＢページ内に表示される要素の領域の幅を使用者に操作されて調整可能にして表示する第２表示処理工程と、前記第１表示処理工程及び第２表示処理工程で表示されたＷＥＢページ作成用ページ及び要素を基に、横幅が１１８０ピクセル又はその倍数で表示される前記ＷＥＢページ用のデータを生成する生成工程と、を有し、前記第２表示処理工程では、前記ＷＥＢページ作成用サイト内に設定された調整可能な単位を基に前記要素の領域の横幅を調整可能にし、前記第１表示処理工程では、前記調整可能な単位の１１８倍又は１１８の倍数倍で前記ＷＥＢページ作成用ページの横幅を表示し、前記ＷＥＢページは、前記生成工程で生成したデータを基に、１１８０ピクセル又はその倍数の横幅で画面に表示されるＷＥＢページ作成方法である。
【０００９】
前記課題を解決するために、本発明の第５の態様は、各種の要素が含まれるＷＥＢページを画面に表示するためのデータを作成するためのコンピュータ用のコンピュータプログラムであって、使用者への表示画面に前記ＷＥＢページ作成用ページを表示する第１表示処理手段と、前記ＷＥＢページ作成用ページ内に前記ＷＥＢページ内に表示される要素の領域の幅を使用者に操作されて調整可能にして表示する第２表示処理手段と、前記第１表示処理手段及び第２表示処理手段により表示されたＷＥＢページ作成用ページ及び要素を基に、横幅が１１８０ピクセル又はその倍数で表示される前記ＷＥＢページ用のデータを生成する生成手段と、を有し、前記第２表示処理手段は、前記ＷＥＢページ作成用サイト内に設定された調整可能な単位を基に前記要素の領域の横幅を調整可能にし、前記第１表示処理手段は、前記調整可能な単位の１１８倍又は１１８の倍数倍で前記ＷＥＢページ作成用ページの横幅を表示し、前記ＷＥＢページは、前記生成手段が生成したデータを基に、１１８０ピクセル又はその倍数の横幅で画面に表示されることをコンピュータに実行させるコンピュータプログラムである。
【００１０】
前記課題を解決するために、本発明の第６の態様は、各種の要素が含まれるＷＥＢページを画面に表示するためのデータを作成するＷＥＢページ作成装置であって、使用者への表示画面に前記ＷＥＢページ作成用ページを表示する第１表示処理手段と、前記ＷＥＢページ作成用ページ内に前記ＷＥＢページ内に表示される要素の領域の幅を使用者に操作されて調整可能にして表示する第２表示処理手段と、前記第１表示処理手段及び第２表示処理手段により表示されたＷＥＢページ作成用ページ及び要素を基に、横幅が３００ピクセル又はその倍数で表示される前記ＷＥＢページ用のデータを生成する生成手段と、を有し、前記第２表示処理手段は、前記ＷＥＢページ作成用サイト内に設定された調整可能な単位を基に前記要素の領域の横幅を調整可能にし、前記第１表示処理手段は、前記調整可能な単位の３０倍又は３０倍の倍数で前記ＷＥＢページ作成用ページの横幅を表示し、前記ＷＥＢページは、前記生成手段が生成したデータを基に、３００ピクセル又はその倍数の横幅で画面に表示されるＷＥＢページ作成装置である。
【００１１】
本発明の第７の態様では、前記ＷＥＢページ作成用サイト内にグリッドが設定され、前記グリッドを構成するセルが前記調整可能な単位になることが好ましい。
【００１２】
本発明の第８の態様では、前記第２表示処理手段は、前記ＷＥＢページ作成用ページ内に前記要素の領域を横方向に複数表示する場合、前記要素の領域が２個のときには、前記調整可能な単位を１３個ひとかたまりとして前記要素の領域の横幅を調整可能にし、前記要素の領域が３個のときには、前記調整可能な単位を８個ひとかたまりとして前記要素の領域の横幅を調整可能にし、前記要素の領域が４個のときには、前記調整可能な単位を７個ひとかたまりとして前記要素の領域の横幅を調整可能にし、前記要素の領域が５個のときには、前記調整可能な単位を６個ひとかたまりとして前記要素の領域の横幅を調整可能にし、前記要素の領域が６個のときには、前記調整可能な単位を５個ひとかたまりとして前記要素の領域の横幅を調整可能にし、前記要素の領域が７個のときには、前記調整可能な単位を４個ひとかたまりとして前記要素の領域の横幅を調整可能にし、前記要素の領域が８個のときには、前記調整可能な単位を３個ひとかたまりとして前記要素の領域の横幅を調整可能にし、前記要素の領域が９個のときには、前記調整可能な単位を２個ひとかたまりとして前記要素の領域の横幅を調整可能にし、前記要素の領域が１０個のときには、前記調整可能な単位を３個ひとかたまりとして前記要素の領域の横幅を調整可能にし、前記要素の領域が１４個のときには、前記調整可能な単位を２個ひとかたまりとして前記要素の領域の横幅を調整可能にし、前記要素の領域が１５個のときには、前記調整可能な単位を２個ひとかたまりとして前記要素の領域の横幅を調整可能にすることが好ましい。
【００１３】
前記課題を解決するために、本発明の第９の態様は、各種の要素が含まれるＷＥＢページを画面に表示するためのデータを作成するＷＥＢページ作成方法であって、使用者への表示画面に前記ＷＥＢページ作成用ページを表示する第１表示処理工程と、前記ＷＥＢページ作成用ページ内に前記ＷＥＢページ内に表示される要素の領域の幅を使用者に操作されて調整可能にして表示する第２表示処理工程と、前記第１表示処理工程及び第２表示処理工程で表示されたＷＥＢページ作成用ページ及び要素を基に、横幅が３００ピクセル又はその倍数で表示される前記ＷＥＢページ用のデータを生成する生成工程と、を有し、前記第２表示処理工程では、前記ＷＥＢページ作成用サイト内に設定された調整可能な単位を基に前記要素の領域の横幅を調整可能にし、前記第１表示処理工程では、前記調整可能な単位の３０倍又は３０の倍数倍で前記ＷＥＢページ作成用ページの横幅を表示し、前記ＷＥＢページは、前記生成工程で生成したデータを基に、３００ピクセル又はその倍数の横幅で画面に表示されるＷＥＢページ作成方法である。
【００１４】
前記課題を解決するために、本発明の第１０の態様は、各種の要素が含まれるＷＥＢページを画面に表示するためのデータを作成するためのコンピュータ用のコンピュータプログラムであって、使用者への表示画面に前記ＷＥＢページ作成用ページを表示する第１表示処理手段と、前記ＷＥＢページ作成用ページ内に前記ＷＥＢページ内に表示される要素の領域の幅を使用者に操作されて調整可能にして表示する第２表示処理手段と、前記第１表示処理手段及び第２表示処理手段により表示されたＷＥＢページ作成用ページ及び要素を基に、横幅が３００ピクセル又はその倍数で表示される前記ＷＥＢページ用のデータを生成する生成手段と、を有し、前記第２表示処理手段は、前記ＷＥＢページ作成用サイト内に設定された調整可能な単位を基に前記要素の領域の横幅を調整可能にし、前記第１表示処理手段は、前記調整可能な単位の３０倍又は３０の倍数倍で前記ＷＥＢページ作成用ページの横幅を表示し、前記ＷＥＢページは、前記生成手段が生成したデータを基に、３００ピクセル又はその倍数の横幅で画面に表示されることをコンピュータに実行させるコンピュータプログラムである。
【発明の効果】
【００１５】
本発明の前記第１の態様によれば、ＷＥＢページ作成装置は、ＷＥＢページ内に横方向で複数の要素をより適切に配置できる。
【００１６】
本発明の前記第２の態様によれば、ＷＥＢページ作成装置は、グリッドによって複数の要素の領域の横幅の調整がより簡易になり、ＷＥＢページ内に横方向で複数の要素をより適切に配置できる。
【００１７】
本発明の前記第３の態様によれば、ＷＥＢページ作成装置は、様々な態様で横方向で複数の要素を配置する場合にも、ＷＥＢページ内に横方向で複数の要素をより適切に配置できる。
【００１８】
本発明の前記第４の態様によれば、ＷＥＢページ作成方法は、ＷＥＢページ内に横方向で複数の要素をより適切に配置できる。
【００１９】
本発明の前記第５の態様によれば、コンピュータプログラムは、ＷＥＢページ内に横方向で複数の要素をより適切に配置できる。
【００２０】
本発明の前記第６の態様によれば、ＷＥＢページ作成装置は、ＷＥＢページ内に横方向で複数の要素をより適切に配置できる。
【００２１】
本発明の前記第７の態様によれば、ＷＥＢページ作成装置は、グリッドによって複数の要素の領域の横幅の調整がより簡易になり、ＷＥＢページ内に横方向で複数の要素をより適切に配置できる。
【００２２】
本発明の前記第８の態様によれば、ＷＥＢページ作成装置は、様々な態様で横方向で複数の要素を配置する場合にも、ＷＥＢページ内に横方向で複数の要素をより適切に配置できる。
【００２３】
本発明の前記第９の態様によれば、ＷＥＢページ作成方法は、ＷＥＢページ内に横方向で複数の要素をより適切に配置できる。
【００２４】
本発明の前記第１０の態様によれば、コンピュータプログラムは、ＷＥＢページ内に横方向で複数の要素をより適切に配置できる。
【図面の簡単な説明】
【００２５】
【図１】図１は、処理装置の構成の一例を示す図である。
【図２】図２は、処理部の構成例を示す図である。
【図３】図３は、ＷＥＢページ作成用ページでのグリッドの設定例を示す図である。
【図４】図４は、ＷＥＢページ作成用ページ内のグリッド内に要素の領域を設ける例を示す図である。
【図５】図５は、ＷＥＢページ作成用ページへの要素の領域の配置例を示す図である。
【図６】図６は、ＷＥＢページ作成用ページへの要素の領域の他の配置例を示す図である。
【図７】図７は、ＷＥＢページ作成用ページの作成例を示す図である。
【図８】図８は、図７に示すＷＥＢページ作成用ページから作成されたＷＥＢページ用のデータを基に画面表示されたＷＥＢページの例を示す図である。
【図９】図９は、第１表示処理部、第２表示処理部、及びデータ生成部による一連の処理の一例を示すフローチャートである。
【図１０】図１０は、第２の実施形態におけるＷＥＢページ作成用ページでのグリッドの設定例を示す図である。
【図１１】図１１は、第２の実施形態におけるＷＥＢページ作成用ページへの要素の領域の配置例を示す図である。
【図１２】図１２は、第２の実施形態におけるＷＥＢページ作成用ページの作成例を示す図である。
【図１３】図１３は、図１２に示すＷＥＢページ作成用ページから作成されたＷＥＢページ用のデータを基に画面表示されたＷＥＢページの例を示す図である。
【発明を実施するための形態】
【００２６】
本発明の実施形態を図面を参照しつつ説明する。
（第１の実施形態）
先ず、第１の実施形態について説明する。第１の実施形態では、処理装置を挙げている。
【００２７】
（構成）
図１は、処理装置１の構成の一例を示す図である。処理装置１は、例えば、パーソナルコンピュータである。
【００２８】
図１に示すように、処理装置１は、通信部２、操作部３、表示部４、記憶部５、及び処理部１０を有している。
【００２９】
通信部２は、有線又は無線でＬＡＮやインターネット回線を介してサーバ装置等の外部装置とで通信を行う。操作部３は、使用者が情報を入力するためのものである。操作部３は、例えば、キーボードやマウスである。表示部４は、画像を表示する。表示部４は、例えば、モニターである。記憶部５は、例えば、ＲＯＭ（Read Only Memory）、ＲＡＭ（Random Access Memory）等である。本実施形態では、記憶部５にプログラム５ａが記憶されている。処理部１０は、処理装置１における各種処理を実行する。処理部１０は、例えば、マイクロコンピュータ及びその周辺回路を備え、例えば、ＣＰＵ、ＲＯＭ、ＲＡＭ等によって構成されている。ＲＯＭには、１又は２以上のプログラムが格納されている。ＣＰＵは、ＲＯＭに格納されている１又は２以上のプログラムに従って各種処理を実行する。そして、処理部１０は、必要に応じて、記憶部５に記憶されている各種データや各種プログラムに従って各種処理を実行する。
【００３０】
図２は、処理部１０の構成例を示す図である。
【００３１】
図２に示すように、処理部１０は、第１表示処理部１１、第２表示処理部１２、及びデータ生成部１３を有している。ここで、第１表示処理部１１は、主に、表示部４にＷＥＢページ作成用ページを表示する第１表示処理を実行する。ＷＥＢページ作成用ページは、ＷＥＢページのデザインを決めるためのページ画像である。第２表示処理部１２は、主に、ＷＥＢページ作成用ページ内にＷＥＢページを構成する要素を配置し表示させる第２表示処理を実行する。データ生成部１３は、主に、ＷＥＢページ作成用ページからＷＥＢページ用のデータを生成するデータ生成処理を実行する。具体的には以下のようになる。
【００３２】
第１表示処理部１１は、表示部４にＷＥＢページ作成用ページを表示する。このとき、第１表示処理部１１は、ＷＥＢページ作成用ページに配置する要素の領域を予め設定された単位の横幅及び縦幅で調整可能にするグリッド（格子）もあわせてＷＥＢページ作成用ページ内に設定する。以下の説明では、横幅及び縦幅を特に言及しない場合、これらを総称して単に幅と称することにする。
【００３３】
図３は、ＷＥＢページ作成用ページ１００でのグリッド１０１の設定例を示す図である。
【００３４】
図３に示すように、ＷＥＢページ作成用ページ１００にはグリッド１０１が設定される。なお、図３では、グリッド１０１は線で見えるように表示されているが、見えるように表示されなくても良い。すなわち、設定されるグリッド１０１によって、要素の領域を決める際に、その要素の領域の幅をセル単位で調整できさえすれば良い。
【００３５】
このグリッドの設定によって当該グリッド１０１を構成するセル１０１ａの幅を単位として要素の領域の幅が設定できるようになる。ここで、横方向におけるセル１０１ａの数は１１８個になり、１つのセル１０１ａの幅は、ＷＥＢページにおいて１０ピクセルに対応している。
【００３６】
第２表示処理部１２は、使用者がした操作部３への操作に応じて、ＷＥＢページ作成用ページ１００内にＷＥＢページ内に表示される要素の領域を設ける。このとき、第２表示処理部１２は、使用者がした操作部３への操作に応じて、その要素の領域の幅をＷＥＢページ作成用ページ１００内のグリッド１０１に合わせて調整する。これによって、第２表示処理部１２は、ＷＥＢページ作成用ページ１００内でグリッド１０１のセル単位で要素の領域の幅を調整し、その調整は、ＷＥＢページとしたみた場合に、要素の領域の横幅を１０ピクセルを単位として行う調整に相当する。
【００３７】
図４は、ＷＥＢページ作成用ページ１００内のグリッド１０１内に要素の領域を設ける例を示す図である。
【００３８】
図４に示すように、第２表示処理部１２は、使用者がした操作部３への操作に応じて、ＷＥＢページ作成用ページ１００内に要素（要素の領域）を設ける。例えば、第２表示処理部１２は、要素の領域２００が使用者が操作するマウス（同図中に示す矢印はマウスの位置）によってドラッグ・アンド・ドロップ操作されてＷＥＢページ作成用ページ１００内に配置される。そして、第２表示処理部１２は、使用者がした操作部３への操作に応じて、要素の領域２００の幅を調整する。例えば、第２表示処理部１２は、使用者が操作するマウスによって、要素の領域２００の境界部分をドラッグし、要素の領域２００の幅をグリッド１０１のセル単位で上下左右で調整する。
【００３９】
図５及び図６は、ＷＥＢページ作成用ページ１００への要素の領域の配置例を示す図である。図５には、要素の領域を横方向で１個〜５個を配置する例を示し、図６には、ＷＥＢページ作成用ページ１００内に要素の領域を横方向で６個〜２０個を配置する例を示す。
【００４０】
図５に示すように、１個の要素を配置する場合、当該要素の領域２０１の横幅がセルで１１８個分あり、両脇それぞれの余白がセルで０個分になる。なお、１個の要素を配置する場合、当該要素の領域２０１の横幅がセルで１１６個分あり、両脇それぞれの余白がセルで１個分になるようにすることもできる。
【００４１】
また、２個の要素を配置する場合、当該要素の領域２０２の横幅がセルで５８個分あり、隣接する要素の領域２０２の間の余白がセルで２個分ある。すなわち、２個の要素の領域２０２は、５８個分のセルがひとかたまりで調整されると、互いに横幅が同じになり、横方向で等間隔に配置される。
【００４２】
また、３個の要素を配置する場合、当該要素の領域２０３の横幅がセルで３８個分あり、隣接する要素の領域２０３の間の余白がセルで２個分ある。すなわち、３個の要素の領域２０３は、３８個分のセルがひとかたまりで調整されると、互いに横幅が同じになり、横方向で等間隔に配置される。
【００４３】
また、４個の要素を配置する場合、当該要素の領域２０４の横幅がセルで２８個分あり、隣接する要素の領域２０４の間の余白がセルで２個分ある。すなわち、４個の要素の領域２０４は、２８個分のセルがひとかたまりで調整されると、互いに横幅が同じになり、横方向で等間隔に配置される。
【００４４】
また、５個の要素を配置する場合、当該要素の領域２０５の横幅がセルで２２個分あり、隣接する要素の領域２０５の間の余白がセルで２個分ある。すなわち、５個の要素の領域２０５は、２２個分のセルがひとかたまりで調整されると、互いに横幅が同じであり、横方向で等間隔に配置される。
【００４５】
また、図６に示すように、６個の要素を配置する場合、当該要素の領域２０６の横幅がセルで１８個分あり、隣接する要素の領域２０６の間の余白がセルで２個分ある。すなわち、６個の要素の領域２０６は、１８個分のセルがひとかたまりで調整されると、互いに横幅が同じになり、横方向で等間隔に配置される。
【００４６】
また、７個の要素を配置する場合、当該要素の領域２０７の横幅がセルで１６個分あり、隣接する要素の領域２０７の間の余白がセルで１個分ある。すなわち、７個の要素の領域２０７は、１６個分のセルがひとかたまりで調整されると、互いに横幅が同じになり、横方向で等間隔に配置される。
【００４７】
また、８個の要素を配置する場合、当該要素の領域２０８の横幅がセルで１３個分あり、隣接する要素の領域２０８の間の余白がセルで２個分ある。すなわち、８個の要素の領域２０８は、１３個分のセルがひとかたまりで調整されると、互いに横幅が同じになり、横方向で等間隔に配置される。
【００４８】
また、９個の要素を配置する場合、当該要素の領域２０９の横幅がセルで１２個分あり、隣接する要素の領域２０９の間の余白がセルで１個分ある。また、ＷＥＢページ作成用ページ１００の両脇それぞれにセルで１個分の余白がある。すなわち、９個の要素の領域２０９は、１２個分のセルがひとかたまりで調整されると、互いに横幅が同じになり、横方向で等間隔に配置される。
【００４９】
また、１０個の要素を配置する場合、当該要素の領域２１０の横幅がセルで１０個分あり、隣接する要素の領域２１０の間の余白がセルで２個分ある。すなわち、１０個の要素の領域２１０は、１０個分のセルがひとかたまりで調整されると、互いに横幅が同じになり、横方向で等間隔に配置される。
【００５０】
また、１１個の要素を配置する場合、当該要素の領域２１１の横幅がセルで８個分あり、隣接する要素の領域２１１の間の余白がセルで３個分ある。すなわち、１１個の要素の領域２１１は、８個分のセルがひとかたまりで調整されると、互いに横幅が同じになり、横方向で等間隔に配置される。
【００５１】
また、１２個の要素を配置する場合、当該要素の領域２１２の横幅がセルで８個分あり、隣接する要素の領域２１２の間の余白がセルで２個分ある。すなわち、１２個の要素の領域２１２は、８個分のセルがひとかたまりで調整されると、互いに横幅が同じになり、横方向で等間隔に配置される。
【００５２】
また、１３個の要素を配置する場合、当該要素の領域２１３の横幅がセルで８個分あり、隣接する要素の領域２１３の間の余白がセルで１個分ある。また、ＷＥＢページ作成用ページ１００の両脇それぞれにセルで１個分の余白がある。すなわち、１３個の要素の領域２１３は、８個分のセルがひとかたまりで調整されると、互いに横幅が同じになり、横方向で等間隔に配置される。
【００５３】
また、１５個の要素を配置する場合、当該要素の領域２１４の横幅がセルで６個分あり、隣接する要素の領域２１４の間の余白がセルで２個分ある。すなわち、１５個の要素の領域２１４は、６個分のセルがひとかたまりで調整されると、互いに横幅が同じになり、横方向で等間隔に配置される。
【００５４】
また、１７個の要素を配置する場合、当該要素の領域２１５の横幅がセルで６個分あり、隣接する要素の領域２１５の間の余白がセルで１個分ある。すなわち、１７個の要素の領域２１５は、６個分のセルがひとかたまりで調整されると、互いに横幅が同じになり、横方向で等間隔に配置される。
【００５５】
また、２０個の要素を配置する場合、当該要素の領域２１６の横幅がセルで４個分あり、隣接する要素の領域２１６の間の余白がセルで２個分ある。すなわち、２０個の要素の領域２１６は、４個分のセルがひとかたまりで調整されると、互いに横幅が同じになり、横方向で等間隔に配置される。
【００５６】
以上のように、要素の領域を横方向に種々の個数で複数個設けた場合でも、ＷＥＢページ作成用ページ１００内で横方向で並ぶ複数個の要素の領域が横幅が同じになり、かつ横方向で等間隔に配置される。
【００５７】
図７は、ＷＥＢページ作成用ページ１００の作成例を示す図である。
【００５８】
図７に示すように、ＷＥＢページ作成用ページ１００内には、上から、トップ画像（トップバナー）用の要素の領域３０１、メニューボタン（グローバルメニューボタン）の各ボタン用の要素の領域３０２、メインコンテンツ用の各要素の領域３０３、フッター用の要素の領域３０４が設けられている。ここで、メニューボタン（グローバルメニューボタン）の各ボタン用の要素の領域３０２は、５個ある。そのため、当該要素の領域３０２の横幅がセルで２２個分あり、隣接する要素の領域３０２の間の余白がセルで２個分ある。また、メインコンテンツ用の各要素の領域３０３は、３個ある。そのため、当該要素の領域３０３の横幅がセルで３８個分あり、隣接する要素の領域３０３の間の余白がセルで２個分ある。
【００５９】
このように、要素の領域を横方向で種々の個数で複数個も設けた場合でも、ＷＥＢページ作成用ページ１００内で当該複数個の要素の領域が横幅が同じになり、かつ横方向で等間隔に配置される。
【００６０】
なお、図７に示す例は、あくまでも説明のためのものであり、要素の領域の縦方向の個数、横方向の個数は、これに限定されないことは言うまでもない。
【００６１】
データ生成部１３は、第１表示処理部１１及び第２表示処理部１２により表示されたＷＥＢページ作成用ページ１００及び要素の領域を基に、横幅が１１８０ピクセルで表示されるＷＥＢページ用のデータをｈｔｍｌ形式で生成する。すなわち、データ生成部１３は、ＷＥＢページ作成用ページ１００のグリッド１０１の１つのセル１０１ａの幅を１０ピクセルに変換したＷＥＢページ用のｈｔｍｌ形式のデータで生成する。
【００６２】
図８は、図７に示すＷＥＢページ作成用ページ１００から作成されたＷＥＢページ用のデータを基に画面表示されたＷＥＢページ４００の例を示す図である。
【００６３】
図８に示すように、ＷＥＢページ４００内には、要素が上から、トップ画像（トップバナー）４０１、メニューボタン（グローバルメニューボタン）の各ボタン４０２、各メインコンテンツ４０３、フッター４０４が設けられている。
【００６４】
このとき、メニューボタン（グローバルメニューボタン）の各ボタン４０２は、横幅が２２０ピクセルになり、横方向で等間隔に配置されている。また、各メインコンテンツ４０３は、３８０ピクセルになり、横方向で等間隔に配置されている。
【００６５】
図９は、第１表示処理部１１、第２表示処理部１２、及びデータ生成部１３による一連の処理の一例を示すフローチャートである。
【００６６】
図９に示すように、先ずステップＳ１の処理として、第１表示処理部１１は、第１表示処理を実行する。すなわち、第１表示処理部１１は、表示部４にグリッド１０１を設定したＷＥＢページ作成用ページ１００を表示する。
【００６７】
続くステップＳ２の処理として、第２表示処理部１２は、第２表示処理を実行する。すなわち、第２表示処理部１２は、使用者がした操作部３への操作に応じて、ＷＥＢページ作成用ページ１００内にＷＥＢページ内に表示される要素の領域を設ける。
【００６８】
続くステップＳ３の処理として、データ生成部１３は、使用者が操作部３にデータ作成の操作を行ったか否かを判定する。データ生成部１３は、使用者が操作部３にデータ作成の操作を行ったと判定すると、ステップＳ４の処理に進む。一方、データ生成部１３は、使用者が操作部３にデータ作成の操作を行っていないと判定すると、ステップＳ２の処理に戻る。
【００６９】
ステップＳ４の処理では、データ生成部１３は、データ生成処理を実行する。すなわち、データ生成部１３は、第１表示処理部１１及び第２表示処理部１２により表示されたＷＥＢページ作成用ページ１００及び要素の領域を基に、横幅が１１８０ピクセルで表示されるＷＥＢページ用のデータをｈｔｍｌ形式で生成する。  例えば、この図９に示す一連の処理は、記憶部５に記憶されているプログラム５ａによって実現されている。
【００７０】
（第１の実施形態における効果）
（１）処理装置１は、様々な態様で要素の領域を横方向に複数個も設けた場合でも、ＷＥＢページ作成用ページ１００内で横方向で並ぶ複数個の要素の領域の横幅を同じにし、かつ横方向で均等に配置できる。この結果、ＷＥＢページ作成装置は、ＷＥＢページ内に横方向で複数の要素をより適切に配置できる。
【００７１】
これにより、処理装置１の使用者は、ＷＥＢページ作成用ページ１００内に横方向で横幅が同じ要素の領域を複数個設けたい場合に、簡単に当該要素の領域を横方向で等間隔で配置できる。この結果、ＷＥＢページ作成用ページ１００を基に生成されたＷＥＢページは、横幅が同じ複数の要素が横方向で等間隔に配置され整然と表示される。
【００７２】
（２）処理装置１は、グリッド１０１によって複数の要素の領域の横幅の調整がより簡易になり、ＷＥＢページ内に横方向で複数の要素をより適切に配置できる。
【００７３】
（３）処理装置１は、横方向で種々の個数で複数の要素を配置する場合にも、ＷＥＢページ内に横方向で複数の要素をより適切に配置できる。
【００７４】
なお、前記の実施形態において、第１表示処理部１１は、例えば、第１表示処理手段を構成する。また、第２表示処理部１２は、例えば、第２表示処理手段を構成する。また、データ生成部は、例えば、生成手段を構成する。
【００７５】
（第２の実施形態）
次に、第２の実施形態について図面を参照しつつ説明する。なお、第２の実施形態においては、第１の実施形態と同様な構成については同一の符号を付して説明し、説明を省略又は単純化して、冗長な記述を避ける。
【００７６】
第２の実施形態における処理装置１の構成、作用は、以下に説明する点を除いて、第１の実施形態における処理装置１の構成、作用とほぼ同一である。そこで、以下異なる点について主に説明する。
【００７７】
第２の実施形態では、ＷＥＢページ作成用ページ１００に設定するグリッド１０１の横方向におけるセル１０１ａの数が３０個になる。図１０は、ＷＥＢページ作成用ページ１００でのグリッド１０１の設定例を示す図である。図１０に示すように、グリッド１０１の横方向におけるセル１０１ａの数が３０個になっている。また、１つのセル１０１ａの幅は、第１の実施形態と同様、ＷＥＢページにおいて１０ピクセルに対応している。
【００７８】
図１１は、ＷＥＢページ作成用ページ１００への要素の領域の配置例を示す図である。
【００７９】
図１１に示すように、１個の要素を配置する場合、当該要素の領域１００１の横幅がセルで２８個分あり、両脇それぞれの余白がセルで１個分になる。なお、１個の要素を配置する場合、当該要素の領域１００１の横幅がセルで３０個分あり、両脇それぞれの余白がセルで０個分になるようにすることもできる。
【００８０】
また、２個の要素を配置する場合、当該要素の領域１００２の横幅がセルで１３個分あり、隣接する要素の領域１００２の間の余白がセルで２個分ある。また、ＷＥＢページ作成用ページ１００の両脇それぞれにセルで１個分の余白がある。すなわち、２個の要素の領域１００２は、１３個分のセルがひとかたまりで調整されると、互いに横幅が同じになり、横方向で等間隔に配置される。
【００８１】
また、３個の要素を配置する場合、当該要素の領域１００３の横幅がセルで８個分あり、隣接する要素の領域２０３の間の余白がセルで２個分ある。また、ＷＥＢページ作成用ページ１００の両脇それぞれにセルで１個分の余白がある。すなわち、３個の要素の領域１００３は、８個分のセルがひとかたまりで調整されると、互いに横幅が同じになり、横方向で等間隔に配置される。
【００８２】
また、４個の要素を配置する場合、４個の要素の領域１００４が一体に繋がり、当該要素の領域２０４の横幅がセルで７個分ある。また、ＷＥＢページ作成用ページ１００の両脇それぞれにセルで１個分の余白がある。すなわち、４個の要素の領域１００４は、７個分のセルがひとかたまりで調整されると、互いに横幅が同じになり、横方向で等間隔に配置される。
【００８３】
また、５個の要素を配置する場合、５個の要素の領域１００５が一体に繋がり、当該要素の領域１００５の横幅がセルで６個分ある。すなわち、５個の要素の領域１００５は、６個分のセルがひとかたまりで調整されると、互いに横幅が同じであり、横方向で等間隔に配置される。
【００８４】
また、６個の要素を配置する場合、６個の要素の領域１００６が一体に繋がり、当該要素の領域１００６の横幅がセルで５個分ある。すなわち、６個の要素の領域１００６は、５個分のセルがひとかたまりで調整されると、互いに横幅が同じになり、横方向で等間隔に配置される。
【００８５】
また、７個の要素を配置する場合、７個の要素の領域１００７が一体に繋がり、当該要素の領域１００７の横幅がセルで４個分ある。また、ＷＥＢページ作成用ページ１００の両脇それぞれにセルで１個分の余白がある。すなわち、７個の要素の領域１００７は、４個分のセルがひとかたまりで調整されると、互いに横幅が同じになり、横方向で等間隔に配置される。
【００８６】
また、８個の要素を配置する場合、８個の要素の領域１００８が一体に繋がり、当該要素の領域１００８の横幅がセルで３個分ある。また、ＷＥＢページ作成用ページ１００の両脇それぞれにセルで３個分の余白がある。すなわち、８個の要素の領域１００８は、３個分のセルがひとかたまりで調整されると、互いに横幅が同じになり、横方向で等間隔に配置される。
【００８７】
また、９個の要素を配置する場合、当該要素の領域１００９の横幅がセルで２個分あり、隣接する要素の領域１００９の間の余白がセルで１個分ある。また、ＷＥＢページ作成用ページ１００の両脇それぞれにセルで２個分の余白がある。すなわち、９個の要素の領域１００９は、２個分のセルがひとかたまりで調整されると、互いに横幅が同じになり、横方向で等間隔に配置される。
【００８８】
また、１０個の要素を配置する場合、１０個の要素の領域１０１０が一体に繋がり、当該要素の領域１０１０の横幅がセルで３個分ある。すなわち、１０個の要素の領域１０１０は、１０個分のセルがひとかたまりで調整されると、互いに横幅が同じになり、横方向で等間隔に配置される。
【００８９】
また、１４個の要素を配置する場合、１４個の要素の領域１０１１が一体に繋がり、当該要素の領域１０１１の横幅がセルで２個分ある。また、ＷＥＢページ作成用ページ１００の両脇それぞれにセルで１個分の余白がある。すなわち、１４個の要素の領域１０１１は、２個分のセルがひとかたまりで調整されると、互いに横幅が同じになり、横方向で等間隔に配置される。
【００９０】
また、１５個の要素を配置する場合、１５個の要素の領域１０１２が一体に繋がり、当該要素の領域１０１２の横幅がセルで２個分ある。すなわち、１５個の要素の領域１０１２は、２個分のセルがひとかたまりで調整されると、互いに横幅が同じになり、横方向で等間隔に配置される。
【００９１】
以上のように、要素の領域を横方向に種々の個数で複数個設けた場合でも、ＷＥＢページ作成用ページ１００内で横方向で並ぶ複数個の要素の領域が横幅が同じになり、かつ横方向で等間隔に配置される。
【００９２】
図１２は、ＷＥＢページ作成用ページ１００の作成例を示す図である。
【００９３】
図１２に示すように、ＷＥＢページ作成用ページ１００内には、上から、トップ画像（トップバナー）用の要素の領域１１０１、メニューボタン（グローバルメニューボタン）の各ボタン用の要素の領域１１０２、メインコンテンツ用の各要素の領域１１０３、カレンダー用の各要素の領域１１０４が設けられている。ここで、メニューボタン（グローバルメニューボタン）の各ボタン用の要素の領域１１０２は、３個ある。そのため、当該要素の領域１１０２の横幅がセルで８個分あり、隣接する要素の領域１１０２の間の余白がセルで２個分あり、さらに、ＷＥＢページ作成用ページ１００の両脇それぞれにセルで１個分の余白がある。また、メインコンテンツ用の各要素の領域１１０３は、４個ある。そのため、４個の各要素の領域１１０３が一体に繋がり、当該要素の領域１１０３の横幅がセルで７個分あり、さらに、ＷＥＢページ作成用ページ１００の両脇それぞれにセルで１個分の余白がある。また、カレンダー用の各要素の領域１１０４は、６行７列となるように一体に繋がっている。そのため、一行では、７個の各要素の領域１１０４の横幅がセルで４個分あり、ＷＥＢページ作成用ページ１００の両脇それぞれにセルで１個分の余白がある。
【００９４】
このように、要素の領域を横方向で種々の個数で複数個も設けた場合でも、ＷＥＢページ作成用ページ１００内で当該複数個の要素の領域が横幅が同じになり、かつ横方向で等間隔に配置される。
【００９５】
なお、図１２に示す例は、あくまでも説明のためのものであり、要素の領域の縦方向の個数、横方向の個数は、これに限定されないことは言うまでもない。
【００９６】
図１３は、図１２に示すＷＥＢページ作成用ページ１００から作成されたＷＥＢページ用のデータを基に画面表示されたＷＥＢページ１２００の例を示す図である。
【００９７】
図１３に示すように、ＷＥＢページ１２００内には、要素が上から、トップ画像（トップバナー）１２０１、メニューボタン（グローバルメニューボタン）の各ボタン１２０２、各メインコンテンツ１２０３、曜日及び日付１２０４が設けられている。
【００９８】
このとき、メニューボタン（グローバルメニューボタン）の各ボタン１２０２は、横幅が８０ピクセルになり、横方向で等間隔に配置されている。また、各メインコンテンツ１２０３は、７０ピクセルになり、横方向で等間隔に配置されている。また、曜日及び日付１２０４は、４０ピクセルになり、横方向で等間隔に配置されている。
【００９９】
以上は、第２の実施形態における主な処理内容であるが、第２の実施形態のその他の構成等は、前述の第１の実施形態の構成等と同様である。
【０１００】
（第２の実施形態における効果）
（１）処理装置１は、様々な態様で要素の領域を横方向に複数個も設けた場合でも、ＷＥＢページ作成用ページ１００内で横方向で並ぶ複数個の要素の領域の横幅を同じにし、かつ横方向で均等に配置できる。この結果、ＷＥＢページ作成装置は、ＷＥＢページ内に横方向で複数の要素をより適切に配置できる。
【０１０１】
これにより、処理装置１の使用者は、ＷＥＢページ作成用ページ１００内に横方向で横幅が同じ要素の領域を複数個設けたい場合に、簡単に当該要素の領域を横方向で等間隔に配置できる。この結果、ＷＥＢページ作成用ページ１００を基に生成されたＷＥＢページは、横幅が同じ複数の要素が横方向で等間隔に配置され整然と表示される。
【０１０２】
（２）処理装置１は、グリッド１０１によって複数の要素の領域の横幅の調整がより簡易になり、ＷＥＢページ内に横方向で複数の要素をより適切に配置できる。
【０１０３】
（３）処理装置１は、横方向で種々の個数で複数の要素を配置する場合にも、ＷＥＢページ内に横方向で複数の要素をより適切に配置できる。
【０１０４】
（本実施形態の変形例等）
本実施形態の変形例として、グリッド１０１の構成する横方向におけるセルの数は、１１８個の倍数の個数にされることもできる。この場合、ＷＥＢページ作成用ページ１００を基に生成されたＷＥＢページの横幅は、当該倍数に比例して１１８０ピクセルの倍数で広くなる。
【０１０５】
また、本実施形態の変形例として、グリッド１０１の構成する横方向におけるセルの数は、３０個の倍数の個数にされることもできる。この場合、ＷＥＢページ作成用ページ１００を基に生成されたＷＥＢページの横幅は、当該倍数に比例して３００ピクセルの倍数で広くなる。
【０１０６】
また、前記の本実施形態は、各種の要素が含まれるＷＥＢページを画面に表示するためのデータを作成するＷＥＢページ作成方法であって、使用者への表示画面に前記ＷＥＢページ作成用ページを表示する第１表示処理工程と、前記ＷＥＢページ作成用ページ内に前記ＷＥＢページ内に表示される要素の領域の幅を使用者に操作されて調整可能にして表示する第２表示処理工程と、前記第１表示処理工程及び第２表示処理工程で表示されたＷＥＢページ作成用ページ及び要素を基に、横幅が１１８０ピクセル又はその倍数で表示される前記ＷＥＢページ用のデータを生成する生成工程と、を有し、前記第２表示処理工程では、前記ＷＥＢページ作成用サイト内に設定された調整可能な単位を基に前記要素の領域の横幅を調整可能にし、前記第１表示処理工程では、前記調整可能な単位の１１８倍又は１１８の倍数倍で前記ＷＥＢページ作成用ページの横幅を表示し、前記ＷＥＢページは、前記生成工程で生成したデータを基に、１１８０ピクセル又はその倍数の横幅で画面に表示されるＷＥＢページ作成方法を実現している。
【０１０７】
また、前記の本実施形態は、各種の要素が含まれるＷＥＢページを画面に表示するためのデータを作成するためのコンピュータ用のコンピュータプログラムであって、使用者への表示画面に前記ＷＥＢページ作成用ページを表示する第１表示処理手段と、前記ＷＥＢページ作成用ページ内に前記ＷＥＢページ内に表示される要素の領域の幅を使用者に操作されて調整可能にして表示する第２表示処理手段と、前記第１表示処理手段及び第２表示処理手段により表示されたＷＥＢページ作成用ページ及び要素を基に、横幅が１１８０ピクセル又はその倍数で表示される前記ＷＥＢページ用のデータを生成する生成手段と、を有し、前記第２表示処理手段は、前記ＷＥＢページ作成用サイト内に設定された調整可能な単位を基に前記要素の領域の横幅を調整可能にし、前記第１表示処理手段は、前記調整可能な単位の１１８倍又は１１８の倍数倍で前記ＷＥＢページ作成用ページの横幅を表示し、前記ＷＥＢページは、前記生成手段が生成したデータを基に、１１８０ピクセル又はその倍数の横幅で画面に表示されることをコンピュータに実行させるコンピュータプログラムを実現している。
【０１０８】
また、前記の本実施形態は、各種の要素が含まれるＷＥＢページを画面に表示するためのデータを作成するＷＥＢページ作成方法であって、使用者への表示画面に前記ＷＥＢページ作成用ページを表示する第１表示処理工程と、前記ＷＥＢページ作成用ページ内に前記ＷＥＢページ内に表示される要素の領域の幅を使用者に操作されて調整可能にして表示する第２表示処理工程と、前記第１表示処理工程及び第２表示処理工程で表示されたＷＥＢページ作成用ページ及び要素を基に、横幅が３００ピクセル又はその倍数で表示される前記ＷＥＢページ用のデータを生成する生成工程と、を有し、前記第２表示処理工程では、前記ＷＥＢページ作成用サイト内に設定された調整可能な単位を基に前記要素の領域の横幅を調整可能にし、前記第１表示処理工程では、前記調整可能な単位の３０倍又は３０の倍数倍で前記ＷＥＢページ作成用ページの横幅を表示し、前記ＷＥＢページは、前記生成工程で生成したデータを基に、３００ピクセル又はその倍数の横幅で画面に表示されるＷＥＢページ作成方法を実現している。
【０１０９】
また、前記の本実施形態は、各種の要素が含まれるＷＥＢページを画面に表示するためのデータを作成するためのコンピュータ用のコンピュータプログラムであって、使用者への表示画面に前記ＷＥＢページ作成用ページを表示する第１表示処理手段と、前記ＷＥＢページ作成用ページ内に前記ＷＥＢページ内に表示される要素の領域の幅を使用者に操作されて調整可能にして表示する第２表示処理手段と、前記第１表示処理手段及び第２表示処理手段により表示されたＷＥＢページ作成用ページ及び要素を基に、横幅が３００ピクセル又はその倍数で表示される前記ＷＥＢページ用のデータを生成する生成手段と、を有し、前記第２表示処理手段は、前記ＷＥＢページ作成用サイト内に設定された調整可能な単位を基に前記要素の領域の横幅を調整可能にし、前記第１表示処理手段は、前記調整可能な単位の３０倍又は３０の倍数倍で前記ＷＥＢページ作成用ページの横幅を表示し、前記ＷＥＢページは、前記生成手段が生成したデータを基に、３００ピクセル又はその倍数の横幅で画面に表示されることをコンピュータに実行させるコンピュータプログラムである。
【０１１０】
また、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【０１１１】
１  処理装置、４  表示部、１０  処理部、１１  第１表示処理部、１２  第２表示処理部、１３  データ生成部
【図１】
2020135539.tif 000003
【図２】
2020135539.tif 000004
【図３】
2020135539.tif 000005
【図４】
2020135539.tif 000006
【図５】
2020135539.tif 000007
【図６】
2020135539.tif 000008
【図７】
2020135539.tif 000009
【図８】
2020135539.tif 000010
【図９】
2020135539.tif 000011
【図１０】
2020135539.tif 000012
【図１１】
2020135539.tif 000013
【図１２】
2020135539.tif 000014
【図１３】
2020135539.tif 000015